(57)【要約】【解決手段】  掃除用具１は、弾性を有する樹脂により形成され、掃除用シートが巻付けられる側面のすべてを掃除面２ａとした本体部２と、本体部に巻付けた上記掃除用シートの一端部と他端部とを本体部に係止する係止手段３とを備えている。  上記掃除面には複数の段差状凹部２ｂと、各段差状凹部内に設けられて段差状凹部よりも深く形成された逃がし孔２ｃとが形成され、上記係止手段は、各段差状凹部に嵌着される弾性変形可能な樹脂製の板状部材１１と、該板状部材に形成されて上記掃除用シートを係止するフラップ１２とから構成されており、上記逃がし孔は掃除用シートを係止する際にフラップ及び掃除用シートの進入を許容するようになっている。【効果】  掃除用シートの装着が容易で、また掃除用シートによる捕集効率が高い掃除用具を提供する。【選択図】  図１
2010259713.tif 000002
【特許請求の範囲】
【請求項１】
掃除用シートが密着する掃除面を備えた本体部と、この本体部に巻付けた上記掃除用シートの一端部と他端部とを本体部に係止する係止手段とを備えた掃除用具において、
上記本体部は、弾性を有する樹脂により形成されて、上記掃除用シートが巻付けられる本体部の側面のすべてを掃除面とするとともに、掃除面に設けられた複数の段差状凹部と、各段差状凹部内に設けられて段差状凹部よりも深く形成された逃がし孔とを備え、
また上記係止手段は、各段差状凹部に嵌着される弾性変形可能な樹脂製の板状部材と、該板状部材に形成されて上記掃除用シートを係止するフラップとから構成され、
上記逃がし孔は掃除用シートを係止する際にフラップ及び掃除用シートの進入を許容することを特徴とする掃除用具。
【請求項２】
上記本体部は、断面多角形の角柱状に形成されるとともに、いずれかの掃除面に上記段差状凹部および逃がし孔を設けたことを特徴とする請求項１に記載の掃除用具。
【請求項３】
上記係止手段におけるフラップは、本体部の短手方向に離隔するように２ヶ所に形成され、
上記本体部における逃がし孔は、本体部の短手方向に離隔するように２ヶ所に形成され、
さらに、上記逃がし孔と逃がし孔との間にリブが形成され、該リブは上記段差状凹部に嵌着された板状部材に当接することを特徴とする請求項１または請求項２のいずれかに記載の掃除用具。
【請求項４】
上記フラップは上記板状部材に形成した複数のスリットにより形成され、
さらに上記フラップは上記本体部の長手方向にずれた位置に形成されて、隣接するフラップのスリットの端部同士が相互に接近しないようにされたことを特徴とする請求項３に記載の掃除用具。
【請求項５】
上記逃がし孔は上記本体部の長手方向にずれた位置に形成されたことを特徴とする請求項３または請求項４のいずれかに記載の掃除用具。
【請求項６】
上記段差状凹部は上記板状部材の厚さよりも深く形成されたことを特徴とする請求項１ないし請求項５のいずれかに記載の掃除用具。
【発明の詳細な説明】
【技術分野】
【０００１】
本発明は掃除用具に関し、詳しくは掃除用シートが密着する掃除面を備えた本体部と、この本体部に巻付けた上記掃除用シートの一端部と他端部とを本体部に係止する係止手段とを備えた掃除用具に関する。
【背景技術】
【０００２】
従来、掃除用シートが密着する掃除面を備えた本体部と、この本体部に巻付けた上記掃除用シートの一端部と他端部とを本体部に係止する係止手段とを備えた掃除用具が知られている（特許文献１）。
しかしながら、この特許文献１の掃除用具の場合、掃除用シートの端部は掃除面ではない裏面側で係止されることから、掃除用シートのかなりの部分は使用されることなく廃棄され、非効率的であった。
この特許文献１の掃除用具に対し、３角柱状の本体部の外周にシート状の弾性体を装着することで３つの掃除面を形成し、これら３つの掃除面に巻付けた掃除用シートの一端部と他端部とを掃除面に形成したスリットに係止するようにした掃除用具が知られている（特許文献２）。
この特許文献２の掃除用具によれば、３つの掃除面に掃除用シートを巻きつけることで、掃除用シートを効率的に使用することが可能となっている。
【先行技術文献】
【特許文献】
【０００３】
【特許文献１】実開平６−６２９６０号公報
【特許文献２】特開２００７−１４３５９３号公報
【発明の概要】
【発明が解決しようとする課題】
【０００４】
しかしながら上記特許文献２における掃除用具の場合、本体部の外周に樹脂製のシートを巻付けた構成であるため、製造コストが高くなるという問題があり、また掃除用シートの端部全体を上記スリットに挿入しなければならないことから、装着に手間がかかるという問題があった。
このような問題に鑑み、本発明は安価に製造することができ、掃除用シートの装着が容易で、また掃除用シートによる捕集効率が高い掃除用具を提供する。
【課題を解決するための手段】
【０００５】
すなわち、本発明にかかる掃除用具は、掃除用シートが密着する掃除面を備えた本体部と、この本体部に巻付けた上記掃除用シートの一端部と他端部とを本体部に係止する係止手段とを備えた掃除用具において、
上記本体部は、弾性を有する樹脂により形成されて、上記掃除用シートが巻付けられる本体部の側面のすべてを掃除面とするとともに、掃除面に設けられた複数の段差状凹部と、各段差状凹部内に設けられて段差状凹部よりも深く形成された逃がし孔とを備え、
また上記係止手段は、各段差状凹部に嵌着される弾性変形可能な樹脂製の板状部材と、該板状部材に形成されて上記掃除用シートを係止するフラップとから構成され、
上記逃がし孔は掃除用シートを係止する際にフラップ及び掃除用シートの進入を許容することを特徴としている。
【発明の効果】
【０００６】
上記発明によれば、本体部を弾性を有する樹脂により成形しているため、本体部の全ての側面が弾性を有する掃除面となり、掃除用シートによる捕集効率を良好に得ることができる。
また、特許文献１のように本体部のさらに外周に弾性を有する樹脂製のシートを巻付ける必要がないため、安価に製造することができる。
さらに、掃除用シートの一端部と他端部とは、係止手段としての板状部材に形成された複数のスリットに挿入することで係止できるため、掃除用シートを容易に装着することができる。
このとき、指先などによって上記掃除用シートごとフラップを本体部の内側に変形させると、該フラップの先端や掃除用シートは上記本体部に形成した逃がし孔に進入させることができる。
【図面の簡単な説明】
【０００７】
【図１】本実施例にかかる掃除用具の斜視図。
【図２】図１におけるＩＩ―ＩＩ部の断面図。
【図３】他の実施例にかかる掃除用具の断面図。
【図４】他の実施例にかかる掃除用具の断面図。
【図５】他の実施例にかかる掃除用具の断面図。
【発明を実施するための形態】
【０００８】
以下図示実施例について説明すると、図１、図２は掃除用具１を示し、図１は掃除用具１の斜視図を、図２は図１におけるＩＩ―ＩＩ部の断面図を示している。
上記掃除用具１は、４角柱状の本体部２と、該本体部２に設けられた係止手段３とから構成され、上記本体部２に掃除用シートＳを巻付けるとともに、該掃除用シートＳの一端部と他端部とを上記係止手段３によって係止することで、上記掃除用シートＳを掃除用具１に装着可能となっている。
上記掃除用シートＳは不織布などからなり、用途に応じてワックスや洗剤等がしみこませてある。また掃除用シートＳの幅は上記本体部２の長手方向の長さと同じか、もしくは若干短い幅となっており、掃除用シートＳの長さは、後に詳述するが本体部２に巻付けた際に、その端部同士が互いに重なり合わない程度の長さとなっている。
【０００９】
上記本体部２は、断面正方形の４角柱状を有しており、両端に位置する天面および底面と、該天面および底面に隣接する４つの掃除面２ａとから構成され、上記掃除用シートＳは上記４つの掃除面２ａに密着するようになっている。
また、上記本体部２はウレタンなどの樹脂により一体成形され、該樹脂によって上記掃除面２ａの表面は若干の弾力性を有している。このため、上記掃除面２ａに密着した掃除用シートＳによる塵の捕集を効率的に行うことが可能となっている。
さらに、上記４つの掃除面２ａによる外周長さは、上記掃除用シートＳの長さとほぼ一致し、上記掃除用シートＳを本体部２に巻付けると、図２に示すように掃除用シートＳの一端部と他端部とが、掃除面２ａの略中央部分で相互に接近しつつも重なり合わないようになっている。
上記４つの掃除面２ａのうち、上記掃除用シートＳの一端部と他端部とを位置させる掃除面２ａには、該掃除用シートＳの一端部と他端部とを係止するための３つの係止手段３が設けられている。
【００１０】
各係止手段３は、ゴムなどの弾性力変形可能な樹脂からなる板状部材１１と、該板状部材１１に形成されて上記掃除用シートＳを係止する２つのフラップ１２とから構成されている。
上記板状部材１１は薄板状を有するとともに、上記フラップ１２は該板状部材１１に３本のスリットを交差させることで形成されており、指先などでスリットの交差した部分を押圧することで、フラップ１２ａが弾性変形して開口するようになっている。
また、上記複数のフラップ１２は板状部材１１の短手方向に離隔した位置に設けられ、かつ掃除面２ａの長手方向にずれた位置に形成されている。これにより、上記スリットの端部同士が接近して板状部材１１が破断するのを防止するようになっている。
【００１１】
そして、上記係止手段３を本体部２に固定するため、該本体部２における１つの掃除面２ａには、上記板状部材１１を収納する段差状凹部２ｂと、各段差状凹部２ｂ内に設けられて段差状凹部２ｂよりも深く形成された逃がし孔２ｃとが設けられている。
上記段差状凹部２ｂは、本体部２の両端部および中央部の３ヶ所に設けられており、各段差状凹部２ｂに上記係止手段３が接着剤や両面テープ等により固定されるようになっている。
また、上記段差状凹部２ｂは図２に示すように板状部材１１の厚さよりも若干深く形成されており、上記板状部材１１を段差状凹部２ｂに収容すると、板状部材１１と掃除面２ａとの間に段差が形成されるようになっている。
上記逃がし孔２ｃは上記段差状凹部２ｂにおける短手方向に離隔した位置に設けられ、かつ掃除面２ａの長手方向にずれた位置に設けられ、特に上記フラップ１２と重合する位置に設けられている。
そして、上記２つの逃がし孔２ｃの間にはリブ２ｄが形成され、上記段差状凹部２ｂに上記板状部材１１を収納すると、このリブ２ｄの上面が板状部材１１と当接するようになっている。
このような構成により、上記逃がし孔２ｃは上記フラップ１２が本体部２の内側に向けて変形するのを許容するとともに、逃がし孔２ｃの位置を本体部２の長手方向にずらして設けていることから、上記リブ１２ｄの形成されるの長さを短くすることができ、該リブ１２ｄの強度を確保することができる。
【００１２】
以下、上記構成を有する掃除用具１に掃除用シートＳを装着する際の手順について説明する。
まず、本体部２における上記係止手段３を設けた掃除面２ａを上方に向け、掃除用シートＳの一端部を、３つの係止手段３における一方の側に整列した３つのフラップ１２の上部に重ね合わせる。
続いて、指先などにより掃除用シートＳごとフラップ１２を押し下げ、これにより掃除用シートＳの一部とともにフラップ１２の先端部分が本体部２の内側に向けて変形する。
その後、指を引き抜くと、フラップ１２が弾性変形した状態から復帰して、フラップ１２によって掃除用シートＳを噛みこみ、係止手段３は掃除用シートＳの一端部を３ヶ所で係止する。
このとき、上記逃がし孔２ｃはフラップ１２の変形を許容するとともに、係止した掃除用シートＳの先端部分は該逃がし孔２ｃ内に収容されるようになっている。
【００１３】
次に、掃除用シートＳを本体部２におけるその他の３つの掃除面２ａに密着させながら巻付け、掃除用シートＳの他端部を上記係止手段３における掃除用シートＳを係止したフラップ１２とは反対側のフラップ１２の上部に重ね合わせる。
そして、指先などにより掃除用シートＳごとフラップ１２を押し下げて、掃除用シートＳの他端部の３ヶ所を係止手段３によって係止し、掃除用シートＳが掃除用具１に装着される。
このとき、掃除用シートＳの長さと、本体部２における掃除面２ａの外周長さがほぼ同じとなっているため、本体部２における掃除面２ａのすべてが掃除用シートＳによって覆われるようになっており、かつ掃除用シートＳの端部同士は重なり合わないようになっている。
【００１４】
上記構成を有する本実施例の掃除用具１によれば、本体部２における４つの掃除面２ａのすべてに掃除用シートＳを密着させることができ、この４つの掃除面２ａを用いて掃除を行うことができる。
また、掃除用シートＳは上記係止手段３におけるフラップ１２に係止された部分を除き、略全ての部分を掃除に利用することができるため、掃除用シートＳを効率的に利用することが可能となっている。
ここで、上記掃除用シートＳをフラップ１２に挿入した際に、フラップ１２の周囲には掃除用シートＳの皺が発生するが、上記本体部２の段差状凹部２ｂを上記板状部材１１の厚さよりも深くしたことで、上記皺による凹凸および係止手段３が掃除面２ａの表面より突出しないようにし、塵の捕集効果の低下を阻止する効果が得られる。
さらに、上記逃がし孔２ｃにリブ２ｄを設けたことで、係止手段３のフラップ１２を本体部２の内部に向けて変形させる際に、上記リブ２ｄが板状部材１１の過度の変形を阻止して、板状部材１１が段差状凹部２ｂより脱落してしまうのを防止することができる。
また、上記本体部２は弾性を有する樹脂で成形されているため、上記掃除面２ａは弾性を有するようになっており、本体部２のさらに外周に弾性を有する樹脂製のシート等を巻付ける必要はなく、安価に掃除用具を製造することが可能となっている。
【００１５】
なお、上記実施例において、係止手段３におけるフラップ１２を各板状部材１１の２ヶ所に設けているが、該フラップ１２を各板状部材１１に１ヶ所だけ設けた構成としてもよい。
この場合、予め本体部２に掃除用シートＳを巻回し、該掃除用シートＳの両端部を１つのフラップ１２の上部に設置してから、該掃除用シートＳの両端部を同時にフラップ１２に係止させることで、掃除用シートＳを掃除用具１に装着することができる。
また、上記本体部２についても、上記実施例のような４角柱状に限らず、他の多角柱としてもよい、また本体部２の長さや掃除用シートＳの幅にあわせて、上記板状部材１１の数や間隔を変更してもよい。
さらに、上記本体部２に、上記段差状凹部２ｂおよび逃がし孔２ｃを対向する２つの掃除面２ａに設けて、これらすべての段差状凹部２ｂに上記係止手段３を設けてもよい。またこの場合、上記逃がし孔２ｃを連通させてもよい。
【００１６】
さらに、図３〜図５は本発明にかかる他の実施例による掃除用具１の断面図を示している。図３は本体部２の断面が円形のものを、図４は本体部２の断面が楕円形のものを、図５は本体部２の断面が長円形のものをそれぞれ示している。
これらの掃除用具１において、上記段差状凹部２ｂは本体部２の掃除面２ａに沿って曲面を有するように形成され、またこの段差状凹部２ｂに設けられる上記係止手段３も、掃除面２ａを構成する曲面より突出しないような曲面により構成されている。
このような構成を有する掃除用具１においても、本体部２の両端に位置する天面および底面に隣接した掃除面２ａの全周に掃除用シートＳを巻付けることができ、すべての掃除面２ａを用いて掃除を行うことができる。
【符号の説明】
【００１７】
１  掃除用具                        ２  本体部
２ａ  側面                          ２ｂ  段差部
２ｃ  逃がし孔                      ２ｄ  リブ
３  係止手段                        １１  板状部材
１２  フラップ
【図１】
2010259713.tif 000003
【図２】
2010259713.tif 000004
【図３】
2010259713.tif 000005
【図４】
2010259713.tif 000006
【図５】
2010259713.tif 000007